(57)【要約】【課題】ジュースや調味料や酒類などを収容する紙積層材料製の、上面が平坦な又は上面が切妻屋根形の直方体状の液体用紙容器であって、側面板３１ ,３２ ,３３ ,３４の上部がへこむ傾向があっても、また側面板３１ ,３２ ,３３ ,３４の下部が膨らむ傾向があっても、浮上げ模様１０の陰影を引立てることができる液体用紙容器を提供する。【解決手段】本発明は、上面板群２１ ,２２ ,２３ ,２４と熱融着板３０と側面板３１ ,３２ ,３３ ,３４と底面板群４１ ,４２ ,４３ ,４４とを連設して成る、上面が平坦な又は上面が切妻屋根形の直方体状の液体用紙容器において、側面板３１ ,３２ ,３３ ,３４の適宜の部分に、文字や絵柄などの浮上げ模様１０を設けて、この浮上げ模様１０の斜面ａや上面ｂなどに、高輝度感や高光沢感などを有する表面加飾層２を設けた液体用紙容器である。【選択図】図１
2005306450.tif 000002
【特許請求の範囲】
【請求項１】
少なくとも紙材料層３とバリヤー層４とシーラント層５とを積層した紙積層材料製の、上面板群２１ ,２２ ,２３ ,２４と熱融着板３０と側面板３１ ,３２ ,３３ ,３４と底面板群４１ ,４２ ,４３ ,４４とを、それぞれ折り目線又は谷折り線を介して連設して成る、上面が平坦な又は上面が切妻屋根形の直方体状の液体用紙容器において、側面板３１ ,３２ ,３３ ,３４の適宜の部分に、文字や絵柄などの浮上げ模様１０を設けて、この浮上げ模様１０の斜面ａや上面ｂなどに、高輝度感や高光沢感などを有する表面加飾層２を設けたことを特徴とする液体用紙容器。
【発明の詳細な説明】
【技術分野】
【０００１】
本発明は、ジュースや調味料や酒類などを収容する紙積層材料製の、上面が平坦な又は上面が切妻屋根形の直方体状の、浮上げ模様１０の陰影を引立てることができる、紙積層材料の切断面が内容物に接していない常温流通可能な液体用紙容器に関する。
【背景技術】
【０００２】
従来から、ジュースや調味料や酒類などを収容する、表面に美麗な印刷をした適宜の紙材料層と、アルミニウム箔やシリカ蒸着付のポリエチレンテレフタレートフィルムなどのバリヤー層と、熱融着性が優れた低密度ポリエチレンなどのシーラント層とを、適宜の接着剤層又は接着性樹脂層を介するなどして積層した紙積層材料製の、例えば図１Ａに示す上面板群２１ ,２２ ,２３ ,２４と熱融着板３０と側面板３１ ,３２ ,３３ ,３４と底面板群４１ ,４２ ,４３ ,４４とを、それぞれ折り目線又は谷折り線を介して連設して成る、図３Ａに示す上面が平坦な直方体状の、また図３Ｂに示す上面が切妻屋根形の直方体状の、紙積層材料の切断面が内容物に接していない常温流通可能な液体用紙容器において、側面板３１ ,３２ ,３３ ,３４の適宜の部分に、文字や絵柄などの浮上げ模様１０を設けた液体用紙容器がある。
【０００３】
この従来の、図３Ａ ,Ｂに示す上面が平坦な又は上面が切妻屋根形の直方体状の液体用紙容器は、紙材料層の表面側を機械的に削り取るなどした熱融着板３０の縦の谷折り線ｃを谷折りして、この熱融着板３０の谷折りした左側部分と側面板３４の右端部分とのシーラント層どうしを熱融着して、熱融着板３０の左端の紙積層材料の切断面が内容物に接していない角筒状に製箱した後に、底面板群４１ ,４２ ,４３ ,４４を平坦に折込んで、ジュースや調味料や酒類などを収容し、次いで上面板群２１ ,２２ ,２３ ,２４を平坦に又は切妻屋根形に折込んで、それぞれのシーラント層どうしを熱融着して、全ての紙積層材料の切断面が内容物に接していない直方体状に製箱する、紙積層材料の紙材料層などに内容物が浸透して漏れだす恐れがない、また紙積層材料の紙材料層などの異物が内容物に溶出する恐れがない、常温流通可能な優れた液体用紙容器である。
【発明の開示】
【発明が解決しようとする課題】
【０００４】
ところが従来の、図３Ａ ,Ｂに示す液体用紙容器については、底面板群４１ ,４２ ,４３ ,４４を平坦に折込んで、加熱殺菌するなどしたジュースや調味料や酒類などを、ホットな状態で収容し、次いで上面板群２１ ,２２ ,２３ ,２４を平坦に又は切妻屋根形に折込んで、全ての紙積層材料の切断面が内容物に接していない直方体状に製箱した時に、収容した内容物が冷却して内部が減圧になることによって、液体用紙容器の側面板３１ ,３２ ,３３ ,３４の上部がへこむ傾向があるために、また収容した内容物の重量によって、液体用紙容器の側面板３１ ,３２ ,３３ ,３４の下部が膨らむ( 特に胴膨れと言う )傾向があるために、側面板３１ ,３２ ,３３ ,３４の適宜の部分に設けた、文字や絵柄などの浮上げ模様１０が目立たなくなって、浮上げ模様１０の展示効果などを損なうことが問題であった。
【０００５】
この問題を解決するために、液体用紙容器の側面板３１ ,３２ ,３３ ,３４の適宜の部分に、文字や絵柄などの浮上げ模様１０を、強く設けることが考えられるが、表面に美麗な印刷をした、２８５ｇ／ｍ2 程度の適宜の紙材料層を積層した紙積層材料においては、図２に示す浮上げ模様１０の、斜面ａの傾斜角度が３０度程度で上面ｂの浮上げ高さが１.０ｍｍ程度が限界であって、液体用紙容器の側面板３１ ,３２ ,３３ ,３４の適宜の部分に、文字や絵柄などの浮上げ模様１０を、この限界以上に強く設けると、前述した紙積
層材料にひびや破れなどが発生して、液体用紙容器の液漏れなどの恐れがあった。
【０００６】
そこで、本発明の目的は、ジュースや調味料や酒類などを収容する紙積層材料製の、上面が平坦な又は上面が切妻屋根形の直方体状の、紙積層材料の切断面が内容物に接していない常温流通可能な液体用紙容器であって、側面板３１ ,３２ ,３３ ,３４の上部がへこむ傾向があっても、また側面板３１ ,３２ ,３３ ,３４の下部が膨らむ傾向があっても、浮上げ模様１０の陰影を引立てることができる、浮上げ模様１０の展示効果などが優れた液体用紙容器を提供することにある。
【課題を解決するための手段】
【０００７】
本発明の液体用紙容器は、図１ ,図２に示すように、少なくとも紙材料層３とバリヤー層４とシーラント層５とを積層した紙積層材料製の、上面板群２１ ,２２ ,２３ ,２４と熱融着板３０と側面板３１ ,３２ ,３３ ,３４と底面板群４１ ,４２ ,４３ ,４４とを、それぞれ折り目線( 符号がない１点鎖線 )又は谷折り線( 符号がない破線 )を介して連設して成る、上面が平坦な又は上面が切妻屋根形の( 図１Ａ ,Ｃでは上面が平坦な )直方体状の液体用紙容器において、側面板３１ ,３２ ,３３ ,３４の適宜の部分に、文字や絵柄などの浮上げ模様１０を設けて、この浮上げ模様１０の斜面ａや上面ｂなど( 図１Ｂ ,図２では上面ｂ )に、高輝度感や高光沢感などを有する表面加飾層２を設けたことを特徴とする液体用紙容器である。
【０００８】
本発明の液体用紙容器においては、少なくとも、表面に美麗な印刷をした適宜の紙材料層３と、アルミニウム箔やシリカ蒸着付のポリエチレンテレフタレートフィルムなどのバリヤー層４と、熱融着性が優れた低密度ポリエチレンなどのシーラント層５とを、適宜の接着剤層６又は接着性樹脂層６を介するなどして積層した紙積層材料製の、上面板群２１
,２２ ,２３ ,２４と熱融着板３０と側面板３１ ,３２ ,３３ ,３４と底面板群４１ ,４２ ,４３ ,４４とを、それぞれ折り目線又は谷折り線を介して連設して成る、前述した従来の、図３Ａ ,Ｂに示す上面が平坦な又は上面が切妻屋根形の直方体状の液体用紙容器と同様の、紙積層材料の切断面が内容物に接していない常温流通可能な液体用紙容器において、
側面板３１ ,３２ ,３３ ,３４の適宜の部分に、文字や絵柄などの浮上げ模様１０を設けて、この浮上げ模様１０の斜面ａや上面ｂなどに、金銀パールインキ層やアルミ箔層や金銀箔押し層やホログラム転写層などの、それぞれ従来公知の高輝度感や高光沢感などを有する表面加飾層２を設けたことによって、収容した内容物が冷却して内部が減圧になって、液体用紙容器の側面板３１ ,３２ ,３３ ,３４の上部がへこむ傾向があっても、また収容した内容物の重量で、液体用紙容器の側面板３１ ,３２ ,３３ ,３４の下部が膨らむ傾向があっても、浮上げ模様１０の陰影を引立てることができる、浮上げ模様１０の展示効果などが優れた液体用紙容器を提供することができる。
【０００９】
すなわち、側面板３１ ,３２ ,３３ ,３４の適宜の部分に設けた、浮上げ模様１０の斜面ａに、例えば金銀インキ層や銀箔押し層などの高輝度感を有する表面加飾層２を設けたことによって、また浮上げ模様１０の上面ｂに、例えばアルミ箔層や金箔押し層などの高光沢感を有する表面加飾層２を設けたことによって、さらに浮上げ模様１０の周辺部と上面ｂとに、例えばパールインキ層とホログラム転写層とのような異なる外観を有する２種類の表面加飾層２ ,２を設けたことによって、それぞれの文字や絵柄などの浮上げ模様１０の陰影を、見る角度によって効果的に引立てることができる。
【発明の効果】
【００１０】
以上、本発明の液体用紙容器においては、ジュースや調味料や酒類などを収容する紙積層材料製の、上面が平坦な又は上面が切妻屋根形の直方体状の、紙積層材料の切断面が内容物に接していない常温流通可能な液体用紙容器において、側面板３１ ,３２ ,３３ ,３
４の適宜の部分に、文字や絵柄などの浮上げ模様１０を設けて、この浮上げ模様１０の斜面ａや上面ｂなどに、高輝度感や高光沢感などを有する表面加飾層２を設けたことによって、側面板３１ ,３２ ,３３ ,３４の上部がへこむ傾向があっても、また側面板３１ ,３２ ,３３ ,３４の下部が膨らむ傾向があっても、文字や絵柄などの浮上げ模様１０の陰影を、見る角度によって効果的に引立てることができる、浮上げ模様１０の展示効果などが優れた液体用紙容器を提供することができる。
【発明を実施するための最良の形態】
【００１１】
本発明の液体用紙容器における、文字や絵柄などの浮上げ模様１０については、表面に美麗な印刷をした適宜の紙材料層３を積層した紙積層材料において、図２に示す斜面ａの傾斜角度が３０度程度で上面ｂの浮上げ高さが１.０ｍｍ程度の、文字や絵柄などの浮上げ模様１０を、液体用紙容器の側面板３１ ,３２ ,３３ ,３４の適宜の部分に、通常の金属浮上げ型を用いた浮上げ工程で、打抜型を用いた打抜工程と同時に又は打抜工程の後に設けることができる。
【００１２】
また、本発明の液体用紙容器における、高輝度感や高光沢感などを有する表面加飾層２については、微着色の透明インキに黄銅又はアルミ又は雲母貝殻の微粒末を練り込んで、紙材料層３の表面にグラビヤ印刷するなどした、従来公知の金銀パールインキ層や、紙材料層３の表面にアルミ箔を積層して、不要な部分を遮光性インキを印刷するなどして隠蔽した、従来公知のアルミ箔層や、樹脂フィルムに黄着色又は無色の剥離層を介してアルミ蒸着して、必要な部分を紙材料層３の表面に熱転写した、従来公知の金銀箔押し層や、従来公知のホログラム転写箔を用いて、前述した浮上げ模様１０の斜面ａや上面ｂなどに、高輝度感や高光沢感などを有する表面加飾層２として、前述した浮上げ工程の前に又は浮上げ工程の後に設けることができる。
【実施例１】
【００１３】
図１Ａ ,Ｂは、本発明の実施例１における、液体用紙容器のブランクの平面図 ,断面説明図であって、図１Ｃは、液体用紙容器の斜視図である。また図２は、本発明の実施例１における、浮上げ模様１０を設けた液体用紙容器の断面説明図である。
【００１４】
すなわち、上面板群２１ ,２２ ,２３ ,２４と熱融着板３０と側面板３１ ,３２ ,３３
,３４と底面板群４１ ,４２ ,４３ ,４４とを、それぞれ符号がない１点鎖線で示す折り目線又は符号がない破線で示す谷折り線を介して連設して成る、縦と横と高さとが６５×６５×１０５ｍｍの、図１Ｃに示す上面が平坦な直方体状の液体用紙容器であって、
表面に美麗な印刷をしたＥＰ原紙２８５ｇ／ｍ2 の紙材料層３と、各種バリヤー性が優れたシリカ蒸着４０ｎｍ付のポリエチレンテレフタレートフィルム１２μｍのバリヤー層４と、熱融着性が優れた低密度ポリエチレン６０μｍのシーラント層５とを、紙材料層３とバリヤー層４との間は、通常のウレタン系の接着剤層６を介してドライラミネート方法で積層して、またバリヤー層４とシーラント層５との間は、熱溶融した線状低密度ポリエチレン１５μｍの接着性樹脂層６を介して熱押出し方法で積層した、図１Ｂに示す紙積層材料を用いて、通常の打抜型を用いた打抜工程で、図１Ａに示す無駄が少ない長方形状の液体用紙容器のブランクを作製した。
【００１５】
次に、図１Ａに示す液体用紙容器のブランクの、側面板３２ ,３４の中央の部分に、図２に示す斜面ａの傾斜角度が３０度で上面ｂの浮上げ高さが１.０ｍｍの、吟醸酒の文字の浮上げ模様１０を、通常の金属浮上げ型を用いた浮上げ工程で設けて、この浮上げ模様１０の上面ｂに、樹脂フィルムに黄着色の剥離層を介してアルミ蒸着して転写した、吟醸酒の文字の金箔押し層を、高輝度感や高光沢感などを有する表面加飾層２として、通常の熱転写式の箔押し工程で設けて、図１Ａに示す本実施例１の液体用紙容器のブランクを作製した。
【００１６】
続いて、サイドシールと通称する工程で、図１Ａに示す液体用紙容器のブランクの、熱融着板３０の縦の谷折り線ｃを谷折りして、この熱融着板３０の谷折りした左側部分と側面板３４の右端部分とのシーラント層５ ,５どうしを熱融着して、熱融着板３０の左端の紙積層材料の切断面が内容物に接していない角筒状に製箱した後に、上面板２４の開口ｄに口栓体５１を熱融着して取付けて、底面板群４１ ,４２ ,４３ ,４４を平坦に折込んで、通常の液体用紙容器の製箱充填工程で、加熱殺菌するなどした４００ｍｌの吟醸酒を、ホットな状態で収容し、次いで上面板群２１ ,２２ ,２３ ,２４を平坦に折込んで、それぞれのシーラント層５ ,５どうしを熱融着( ボトムシール ,トップシールと通称する )して、全ての紙積層材料の切断面が内容物に接していない、紙積層材料の紙材料層３などに内容物が浸透して漏れだす恐れがない、また紙積層材料の紙材料層３などの異物が内容物に溶出する恐れがない、図１Ｃに示す上面が平坦な直方体状の常温流通可能な優れた液体用紙容器を得ることができた。
【００１７】
本実施例１の液体用紙容器においては、側面板３２ ,３４の中央の部分に、図２に示す吟醸酒の文字の浮上げ模様１０を設けて、この浮上げ模様１０の上面ｂに、吟醸酒の文字の金箔押し層を、高輝度感や高光沢感などを有する表面加飾層２として設けたことによって、収容した吟醸酒が冷却して内部が減圧になって、液体用紙容器の側面板３１ ,３２ ,３３ ,３４の上部がへこむ傾向があっても、また収容した吟醸酒の重量で、液体用紙容器の側面板３１ ,３２ ,３３ ,３４の下部が膨らむ傾向があっても、吟醸酒の文字の浮上げ模様１０の陰影を、見る角度によって効果的に引立てることができる、浮上げ模様１０の展示効果などが優れた液体用紙容器を得ることができた。
【産業上の利用可能性】
【００１８】
本発明の、ジュースや調味料や酒類などを収容する紙積層材料製の、上面が平坦な又は上面が切妻屋根形の直方体状の液体用紙容器において、側面板３１ ,３２ ,３３ ,３４の適宜の部分に、文字や絵柄などの浮上げ模様１０を設けて、この浮上げ模様１０の斜面ａや上面ｂなどに、金銀パールインキ層やアルミ箔層や金銀箔押し層やホログラム転写層などの、それぞれ従来公知の高輝度感や高光沢感などを有する表面加飾層２を設けたことによって、浮上げ模様１０の陰影を引立てることができる液体用紙容器の発明については、他の色々な形状の紙容器や紙箱などに、そのまま幅広く利用することができる。
【図面の簡単な説明】
【００１９】
【図１】本発明の実施例１における、図１Ａ ,Ｂは、液体用紙容器のブランクの平面図 ,断面説明図であって、図１Ｃは、液体用紙容器の斜視図である。
【図２】本発明の実施例１における、浮上げ模様１０を設けた液体用紙容器の断面説明図である。
【図３】図３Ａ ,Ｂは、従来の液体用紙容器の斜視図である。
【符号の説明】
【００２０】
２                      …表面加飾層
３                      …紙材料層
４                      …バリヤー層
５                      …シーラント層
６                      …接着剤層 ,接着性樹脂層
１０                    …浮上げ模様
２１ ,２２ ,２３ ,２４  …上面板群
３０                    …熱融着板
３１ ,３２ ,３３ ,３４  …側面板
４１ ,４２ ,４３ ,４４  …底面板群
５１                    …口栓体
ａ                      …斜面
ｂ                      …上面
ｃ                      …縦の谷折り線
ｄ                      …開口
【図１】
2005306450.tif 000003
【図２】
2005306450.tif 000004
【図３】
2005306450.tif 000005